(57)【要約】【課題】境界線検出装置において、本線走路と増加走路とを適正に判別して車両を正しい走路に沿って適正に走行可能とする。【解決手段】カメラ１１からの入力画像における所定の検出期間の画像情報に基づいて白線候補線を検出し、この白線候補線に基づいて本線走路１０１の白線２０１，２０２を選定する一方、本線走路１０１から増加する右折走路１０２の傾斜白線２０３が選定されたときには誤検出と判定して右折レーンモードを設定し、傾斜白線２０３として選定した白線のデータを所定期間にわたって採用せず、それ以前に選定した本線走路１０１の白線２０１，２０２を白線のデータとして採用する。【選択図】        図２
2005346382.tif 000002
【特許請求の範囲】
【請求項１】
車両に搭載されて走路を撮像するカメラと、該カメラからの入力画像における画像情報に基づいて路面上に描かれた車線境界位置の候補線を検出する候補線検出手段と、該候補線検出手段が検出した前記車線境界位置の候補線に基づいて車線境界位置を選定する車線境界位置選定手段と、前記候補線検出手段が検出した前記車線境界位置の候補線に基づいて本線走路から増加する増加走路の車線境界位置を選定する増加車線境界位置選定手段と、該増加車線境界位置選定手段が前記増加走路の車線境界位置を選定したときに予め設定された所定期間にわたって前記車線境界位置選定手段または前記増加車線境界位置選定手段が選定した車線境界位置の採用を停止する増加処理手段とを具えたことを特徴とする境界線検出装置。
【請求項２】
請求項１記載の境界線検出装置において、前記増加処理手段は、前記増加車線境界位置選定手段が前記増加走路の車線境界位置を選定したとき、該増加走路の車線境界位置が選定される以前の前記車線境界位置を採用することを特徴とする境界線検出装置。
【請求項３】
請求項１記載の境界線検出装置において、前記増加車線境界位置選定手段は、前記車線境界位置に基づいて算出された走路曲率が予め設定された第１所定値より大きいとき、またはピッチ角が予め設定された所定範囲外にあり、且つ、前記走路曲率が前記第１所定値より小さい第２所定値より大きいときに、検出した前記車線境界位置を前記増加走路の車線境界位置と認定することを特徴とする境界線検出装置。
【請求項４】
請求項１記載の境界線検出装置において、前記車線境界位置選定手段または前記増加車線境界位置選定手段が選定した車線境界位置の採用を停止する前記所定期間は、前記増加車線境界位置選定手段が前記増加走路の車線境界位置を選定したときの車両の走路位置から該車両が予め設定した所定距離だけ前進した期間であることを特徴とする境界線検出装置。
【請求項５】
請求項１記載の境界線検出装置において、前記増加走路は、前記本線走路から前方の交差点を右折するための右折走路または左折するための左折走路であり、前記車線境界位置選定手段または前記増加車線境界位置選定手段が選定した車線境界位置の採用を停止する前記所定期間は、前記交差点を検出するまでの期間であることを特徴とする境界線検出装置。
【発明の詳細な説明】
【技術分野】
【０００１】
本発明は、車両に搭載されて走路を撮像するカメラからの入力画像に基づいて画像情報を取得し、この画像情報に基づいて路面上に描かれた境界線を検出する境界線検出装置に関するものである。
【背景技術】
【０００２】
近年、車両前方の走路をカメラにより撮影し、このカメラが撮影した画像に基づいて路面上に描かれた境界線、つまり、白線を検出し、車両をこの白線により区分された走路を自動運転する装置が開発されている。この自動運転を実現するためには、走路を適正に検出する必要があり、カメラが撮影した画像を処理することにより走路、つまり、白線を検出する検出装置が必要となる。この種の検出装置として、例えば、下記特許文献１、２に記載されたものがある。
【０００３】
特許文献１に記載された「車両用走行車線認識装置」は、車両直前部の左右の画像情報から、直線成分を表すエッジ成分のエッジ点計数の最大値を計測し、この最大値に基づいて、最大値が周期的に変化している場合に破線レーンマーカと認識し、定常的な一定値の場合に実線レーンマーカと認識し、この左右のレーンマーカに関する認識結果から、自車両の走行車線を認識するものである。
【０００４】
また、特許文献２に記載された「車両用走行レーン検知装置」は、車両前部に設けられたビデオカメラから撮像された画像を処理して白線候補点を検出し、この白線候補点のうち白線と認識された白線候補点のみを選択してその検出率を算出し、一定量の検出率に基づいて白線の種類を判別するものである。
【０００５】
【特許文献１】特開平０８−３２０９９７号公報
【特許文献２】特開２００１−０１４５９５号公報
【発明の開示】
【発明が解決しようとする課題】
【０００６】
ところで、例えば、バイパス道路では、複数の本線走路が設けられると共に、前方の交差点で右折または左折するために増加する右折走路や左折走路が設けられており、この右折走路や左折走路などを含む全体の道路幅が広がり、これを区分する白線は、本線走路の白線から外側に屈曲するように描かれている。この場合、自車が走行する本線車線に対して、例えば、右に増加する右折走路があるとき、白線検出装置は、右折走路の白線を本線走路の白線と誤検出してしまうおそれがあり、検出した白線を本線走路のものか右折走路のものかを正しく判別しなければならない。上述した特許文献１、２の装置にあっては、この点について特に記載されておらず、走路を区分する白線を適正に検出することができないおそれがある。
【０００７】
本発明は、このような問題を解決するためのものであって、本線走路と増加走路とを適正に判別して車両を正しい走路に沿って適正に走行可能とした境界線検出装置を提供することを目的とする。
【課題を解決するための手段】
【０００８】
上述した課題を解決し、目的を達成するために、本発明の境界線検出装置は、車両に搭載されて走路を撮像するカメラと、該カメラからの入力画像における画像情報に基づいて路面上に描かれた車線境界位置の候補線を検出する候補線検出手段と、該候補線検出手段が検出した前記車線境界位置の候補線に基づいて車線境界位置を選定する車線境界位置選定手段と、前記候補線検出手段が検出した前記車線境界位置の候補線に基づいて本線走路から増加する増加走路の車線境界位置を選定する増加車線境界位置選定手段と、該増加車線境界位置選定手段が前記増加走路の車線境界位置を選定したときに予め設定された所定期間にわたって前記車線境界位置選定手段または前記増加車線境界位置選定手段が選定した車線境界位置の採用を停止する増加処理手段とを具えたことを特徴とするものである。
【０００９】
また、本発明の境界線検出装置では、前記増加処理手段は、前記増加車線境界位置選定手段が前記増加走路の車線境界位置を選定したとき、該増加走路の車線境界位置が選定される以前の前記車線境界位置を採用することを特徴としている。
【００１０】
本発明の境界線検出装置では、前記増加車線境界位置選定手段は、前記車線境界位置に基づいて算出された走路曲率が予め設定された第１所定値より大きいとき、またはピッチ角が予め設定された所定範囲外にあり、且つ、前記走路曲率が前記第１所定値より小さい第２所定値より大きいときに、検出した前記車線境界位置を前記増加走路の車線境界位置と認定することを特徴としている。
【００１１】
本発明の境界線検出装置では、前記車線境界位置選定手段または前記増加車線境界位置選定手段が選定した車線境界位置の採用を停止する前記所定期間は、前記増加車線境界位置選定手段が前記増加走路の車線境界位置を選定したときの車両の走路位置から該車両が予め設定した所定距離だけ前進した期間であることを特徴としている。
【００１２】
本発明の境界線検出装置では、前記増加走路は、前記本線走路から前方の交差点を右折するための右折走路または左折するための左折走路であり、前記車線境界位置選定手段または前記増加車線境界位置選定手段が選定した車線境界位置の採用を停止する前記所定期間は、前記交差点を検出するまでの期間であることを特徴としている。
【発明の効果】
【００１３】
本発明の境界線検出装置によれば、カメラからの入力画像における画像情報に基づいて路面上に描かれた車線境界位置の候補線を検出し、この車線境界位置の候補線に基づいて車線境界位置を選定する一方、本線走路から増加する増加走路の車線境界位置を選定し、この増加走路の車線境界位置を選定したときには、所定期間にわたって車線境界位置選定手段または増加車線境界位置選定手段が選定した車線境界位置の採用を停止するので、増加走路の車線境界位置を選定したときには、所定期間にわたって選定した車線境界位置の採用を停止することで、本線走路と増加走路とを適正に判別して車両は増加走路の境界線位置に影響されることなく正しい走路に沿って走行することができ、車両を継続して適正に走行させることができる。
【発明を実施するための最良の形態】
【００１４】
以下に、本発明にかかる境界線検出装置の実施例を図面に基づいて詳細に説明する。なお、この実施例によりこの発明が限定されるものではない。
【実施例】
【００１５】
図１は、本発明の一実施例に係る境界線検出装置が適用された車両制御装置のブロック構成図、図２は、本実施例の境界線検出装置のブロック構成図、図３は、カメラが撮像した画像の概略図、図４は、本実施例の境界線検出装置が出力する道路パラメータを説明するための概略図、図５は、本線走路及び右折走路を表す道路の平面図、図６−１は、画像処理後の本線走路の概略図、図６−２は、画像処理後の本線走路における増加部の概略図、図７は、本実施例の境界線検出装置による境界線検出制御のフローチャート、図８は、右折レーンモード判定処理を表すフローチャートである。
【００１６】
本実施例の境界線検出装置が適用された車両制御装置は、図１に示すように、カメラ１１と、白線検出装置（境界線検出装置）１２と、車両操舵制御装置１３と、メインスイッチ（Ｓ／Ｗ）１４と、車速センサ１５と、パワーステアリング装置１６と、表示装置１７とを有しており、車両が走行する走路を区分する両側の白線を検出し、この白線に基づいて道路パラメータを算出し、この道路パラメータに基づいて車両を操舵することで、この車両を現在走行中の走路を維持して適正に走行させるものである。
【００１７】
カメラ１１は、車両前方の走路が撮影できるように、例えば、ルームミラーの近傍に所定の俯角をもって固定されており、撮影した入力画像を白線検出装置１２に出力する。このカメラ１１は、車両から前方に所定距離だけ離間位置から遠方の位置までを撮影することができ、その画像は、図３に示すように、走路１０１を区分する左右の白線(境界線)２０１，２０２が上方位置で交差するハの字形状となる。
【００１８】
白線検出装置１２は、カメラ１１からの入力画像に基づいて路面上に描かれた左右の白線を検出し、この左右の白線の情報に基づいて道路パラメータを求めるものであり、図２に示すように、候補線検出手段としてのエッジ点抽出部２１、エッジ線抽出部２２、白線抽出部２３と、車線境界位置選定手段としての白線選択部２４と、道路パラメータ演算部２５と、増加車線境界位置選定手段及び増加処理手段としての右折レーンモード判定部２６と、道路パラメータ出力部２７とを有している。この場合、白線検出装置１２は、カメラ１１が撮影した画像を幾何変換により走路を上方から見た平面視画像にして各種の処理を実行している。
【００１９】
そして、この白線検出装置１２は、カメラ１１からの入力画像を所定のサンプリング周期（例えば、２００ms）で連続的に処理しており、車両走行方向に交差する水平方向(カメラ１１の左右方向)にて、明るさが急激に変化する点をエッジ点として認識するものであり、エッジ点抽出部２１は、カメラ１１の入力画像から複数のエッジ点を抽出する。エッジ線抽出部２２は、エッジ点抽出部２１が抽出した複数のエッジ点に対して、例えば、ハフ変換を用いて白線候補線(車線境界位置の候補線)となる複数のエッジ線を抽出する。白線抽出部２３は、エッジ線抽出部２２が抽出した複数のエッジ線から左右一対となる複数組の白線候補線を抽出する。そして、白線選択部２４は、白線抽出部２３が抽出した複数組の白線候補線のなかから最も車線らしい２本、もしくは１本の白線を選定する。
【００２０】
道路パラメータ演算部２５は、選定された２本の白線に基づいて、道路曲率Ｒ、車両のピッチ角φ、ヨー角θ、走路幅Ｗ、オフセット量ｇを５つの道路パラメータとして演算する。即ち、図４に示すように、車両１０が、左右の白線２０１，２０２により区分された走路１０１を走行中であるとき、道路曲率Ｒは、左右の白線２０１，２０２の曲率の平均値であり、車両１０の走行方向の右側に湾曲した場合が＋、左側に湾曲した場合が−である。ピッチ角φは、走路の路面に対する車両（カメラ１１の光軸）の前後方向の傾斜角度であり、平面視画像に変換した後の左右の白線２０１，２０２の傾斜角度から算出する。つまり、車両１０が路面に水平な停止状態であるときのピッチ角φ＝０とすると、このときの平面視画像では左右の白線２０１，２０２が平行な状態にある。一方、車両前部が下方に傾斜すると、平面視画像における左右の白線２０１，２０２がハの字形状に変化する一方、車両前部が上方に傾斜すると、平面視画像における左右の白線２０１，２０２が逆ハの字形状に変化するため、この白線２０１，２０２の角度に基づいてピッチ角φを算出することができる。ヨー角θは、カメラ１１の固定位置にて、車両１０の走路方向に対する左右の白線２０１，２０２の振れ角度の平均値であり、車両１０の走行方向の右側に振れた場合が＋、左側に振れた場合が−である。走路幅Ｗは、左右の白線２０１，２０２の中心の間隔であり、オフセット量ｇは走路１０１の中心と車両１０の中心とのずれ量であり、走路１０１に対して車両１０が右側にずれた場合が＋、左側にずれた場合が−である。
【００２１】
また、右折レーンモード判定部２６は、白線抽出部２３が抽出した複数組の白線候補線のなかから本線走路に対して右側に増加する右折走路の白線を選定（増加車線境界位置選定手段）し、この右折走路の白線を選定したときに右折レーンモードを設定し、これ以降に白線選択部２４が選定した白線の採用を所定期間だけ停止（増加処理手段）する。
【００２２】
例えば、一般に、バイパス道路では、図５に示すように、左右の白線２０１，２０２により区分された本線走路１０１に対して、前方の交差点を右折するための右折走路１０２を設けるために、右の白線２０２が右側に屈曲する傾斜白線２０３が描かれると共に、この傾斜白線２０３が左側に屈曲して白線２０２と平行となる右折白線２０４が描かれており、傾斜白線２０３に対応する白線２０１は途切れた状態となっている。このような本線走路１０１に対して右側に右折走路１０２が設けられた道路を車両１０が走行する場合、カメラ１１の撮影した入力画像に対して白線検出装置１２が処理エリアＡを画像処理すると、図６―１に示すように、２つの平行な白線２０１，２０２を検出することができる。一方、カメラ１１の撮影した入力画像に対して白線検出装置１２が処理エリアＢを画像処理すると、図６―２に示すように、左側の白線２０１は検出することができるものの、右側の白線２０２を検出することができず、右折走路１０２のための傾斜白線２０３を検出することなる。そのため、車両１０を現在走行中の本線走路１０１に沿って適正に走行させることができないおそれがある。
【００２３】
そこで、右折レーンモード判定部２６は、白線抽出部２３が抽出した複数組の白線候補線の中から選定した２つの白線の一方が右折走路１０２の傾斜白線２０３であると判定したときには、このときに選定した傾斜白線２０３のデータに基づいて算出した道路パラメータを採用せず、それ以前に選定した白線、つまり、本線走路１０１の白線２０１，２０２のデータに基づいて算出した道路パラメータを採用するようにしている。この場合、道路パラメータ演算部２５が算出した道路曲率Ｒが予め設定された第１所定値より大きいとき、または、道路パラメータ演算部２５が算出した車両のピッチ角φが予め設定された所定範囲外にあり、且つ、道路曲率Ｒが第１所定値より小さい第２所定値より大きいときに、選定した白線が右折走路の白線であると判定している。
【００２４】
そして、選定した白線が右折走路の白線であると判定されると、処理モードを通常レーンモードから右折レーンモードに変更する。通常レーンモードでは、所定の検出時間（例えば、１秒間）に複数（例えば、１０個）時間的に連続して白線候補線が検出できたときに、これを白線として認識するようにしている。一方、右折レーンモードでは、同様に、所定の検出時間（例えば、１秒間）に複数（例えば、１０個）時間的に連続して白線候補線が検出できたときに、これを白線として認識するものの、この選定した白線の情報の採用を所定期間にわたって停止することで、車両１０が継続して本線走路１０１を走行して右折走路１０２の傾斜白線２０３を通過した後に、再び本線走路１０１の白線を検出することができる。
【００２５】
道路パラメータ出力部２７は、道路パラメータ演算部２５が算出した道路曲率Ｒ、車両のピッチ角φ、ヨー角θ、走路幅Ｗ、オフセット量ｇからなる道路パラメータと、右折レーンモード判定部２６が判定した傾斜白線２０３の判定結果を車両操舵制御装置１３に出力するものである。
【００２６】
また、車両操舵制御装置１３は、白線検出装置１２から出力された道路パラメータに基づいて車両の操舵量（操舵トルク）を設定するものである。即ち、車両１０が走行する走路が右方にカーブしているときに、このカーブ道路を走行させるために必要な操舵量を決定し、パワーステアリング装置１６を制御するものである。この車両操舵制御装置１３には、メインスイッチ１４が接続されており、このメインスイッチ１４がＯＮ操作されているときに、車両１０の操舵制御を実行する。また、この車両操舵制御装置１３には車速センサ１５が接続されており、車両操舵制御装置１３は車速センサ１５が検出した車速を加味して車両の操舵量を設定する。そして、車両操舵制御装置１３に接続された表示装置１７に、その制御状態が表示される。
【００２７】
ここで、上述した本実施例の白線検出装置による白線検出制御について、図７及び図８のフローチャートに基づいて説明する。
【００２８】
本実施例の白線検出装置１２による白線検出制御において、図７に示すように、ステップＳ１１にて、カメラ１１からの画像を入力し、ステップＳ１２にて、カメラ１１からの入力画像に基づいて複数のエッジ点を抽出し、ステップＳ１３にて、抽出された複数のエッジ点をハフ変換して複数のエッジ線を抽出し、ステップＳ１４にて、抽出された複数のエッジ線から複数組の白線候補線を抽出し、ステップＳ１５にて、複数組の白線候補線の中から最も車線らしい２本の白線を選定する。そして、ステップＳ１６にて、選定された２本の白線に基づいて、道路曲率Ｒ、車両のピッチ角φ、ヨー角θ、走路幅Ｗ、オフセット量ｇを５つの道路パラメータとして演算する。
【００２９】
ステップＳ１７では、検出フラグＦ１＝１（ＯＮ）であるかどうかを判定する。即ち、通常レーンモード制御で、走路の白線が検出されている状態であれば、検出フラグＦ１＝１（ＯＮ）であり、白線が、例えば、路面に描かれている白線が消えてしまっていたり、積雪などにより見えずに検出できていない状態であれば、検出フラグＦ１＝０（ＯＦＦ）である。このステップＳ１７にて、検出フラグＦ１＝１でなければ、ステップＳ２５に移行する一方、検出フラグＦ１＝１であれば、ステップＳ１８に移行して右折レーンモードの判定制御を実行する。
【００３０】
図８に示すように、ステップＳ１０１にて、過去履歴バッファへ所定時間（例えば、５秒間）の道路パラメータ（道路曲率Ｒ、車両のピッチ角φ、ヨー角θ、走路幅Ｗ、オフセット量ｇ）を格納する。そして、ステップＳ１０２では、この道路パラメータにおける道路曲率Ｒ及び車両のピッチ角φを用いてその異常判定を行う。即ち、まず、過去所定時間（例えば、５秒間）における道路曲率Ｒの平均値ＲA及びピッチ角φの平均値φAを算出する。次に、現在の道路曲率Ｒと過去の平均値ＲAとの差が第１閾値ＲBより大きいかどうかを判定する。また、現在のピッチ角φと過去の平均値φAとの差が第１閾値φBより大きいかどうか、また、現在のピッチ角φと過去の平均値φAとの差が第２閾値φSより小さいかどうかを判定する。この場合、第１閾値φBは第２閾値φSよりも大きく設定されている。
【００３１】
この判定にて、現在の道路曲率Ｒと過去の平均値ＲAとの差が第１閾値ＲBより大きければ、現在の走路が右方または左方へ異常に大きくカーブしていると推測することができ、道路曲率異常フラグＦ３＝１とする。また、現在のピッチ角φと過去の平均値φAとの差が第１閾値φBより大きければ、車両が前方に傾斜していないのにも拘らずピッチ角が大きいため、平面視画像における左右の白線がハの字形状であり、左右の白線の角度が異常に大きいと推測することができ、ピッチ角第１異常フラグＦ４＝１とする。更に、現在のピッチ角φと過去の平均値φAとの差が第２閾値φSより小さければ、車両が後方に傾斜していないのにも拘らずピッチ角が小さいため、平面視画像における左右の白線が逆ハの字形状であり、左右の白線の角度が異常に大きいと推測することができ、ピッチ角第２異常フラグＦ５＝１とする。
【００３２】
上記した道路曲率Ｒ及びピッチ角φを用いた異常判定方法を簡単にまとめると、下記のものとなる。
Ｒ−ＲA＞ＲB        →        Ｆ３＝１
φ−φA＞φB        →        Ｆ４＝１
φ−φA＞φS        →        Ｆ５＝１
【００３３】
ステップＳ１０２で、道路パラメータにおける道路曲率Ｒ及びピッチ角φの異常判定を行った後、ステップＳ１０３では、道路パラメータにおける道路曲率Ｒの変化方向性の異常判定を行う。即ち、現在の道路曲率Ｒと過去の平均値ＲAとの差が第１閾値ＲBより小さい第２閾値ＲSより大きいかどうかを判定する。この判定にて、現在の道路曲率Ｒと過去の平均値ＲAとの差が第２閾値ＲSより大きければ、現在の走路が右方へカーブしていると推測することができ、右折道路曲率フラグＦ６＝１とする。
Ｒ−ＲA＞ＲS        →        Ｆ６＝１
【００３４】
そして、ステップＳ１０４にて、上記設定した各フラグＦ３〜Ｆ６に基づいて右折レーンモードの判定を行う。即ち、道路曲率異常フラグＦ３＝１であるか、または、ピッチ角第１異常フラグＦ４＝１またはピッチ角第１異常フラグＦ５＝１で且つ右折道路曲率フラグＦ６＝１であるときは、白線の検出結果を右折による誤検出と判定する。右折による誤検出と判定した場合には、ステップＳ１０５に移行し、右折レーンモードフラグＦ２＝１（ＯＮ）とする。一方、ステップＳ１０４にて、白線の検出結果を右折による誤検出ではないと判定したときには、右折レーンモードフラグＦ２は変更しない。
Ｆ３＝１    or
（Ｆ４＝１ or Ｆ５＝１）and Ｆ６＝１        →        Ｆ２＝１
【００３５】
即ち、この右折レーンモードの判定制御では、算出した道路曲率Ｒ及び車両のピッチ角φに基づいて選定した白線が右折走路１０２の白線であるかどうかを判定し、右折走路１０２の白線であると判定されたら、右折レーンモードフラグＦ２＝１とする。即ち、右折レーンモードフラグＦ２＝０と判定されたときに、検出フラグＦ１＝１とすることで、選定した右折走路１０２の白線のデータに基づいて算出した道路パラメータを所定時間採用しない。
【００３６】
右折レーンモードの判定制御にて、選定した白線が右折走路１０２の白線であるかどうか判定され、右折レーンモードフラグＦ２が設定されると、図７に戻り、ステップＳ１９にて、右折レーンモードフラグＦ２＝１であるかどうかを判定する。このステップＳ１９にて、前述した右折レーンモードの判定制御で、右折走路１０２の白線ではないと判定されていれば、右折レーンモードフラグＦ２＝０であるため、ステップＳ２５に移行し、算出した本線走路１０１の道路曲率Ｒ、車両のピッチ角φ、ヨー角θ、走路幅Ｗ、オフセット量ｇからなる道路パラメータと、検出フラグＦ１の状態（Ｆ１＝０かＦ１＝１）を車両操舵制御装置１３に出力する。一方、ステップＳ１９にて、前述した右折レーンモードの判定制御で、右折走路１０１の傾斜白線２０３であると判定されていれば、右折レーンモードフラグＦ２＝１であるため、ステップＳ２０に移行し、検出フラグＦ１＝０とする。
【００３７】
ステップＳ２１では、右折レーンモードフラグＦ２＝１となった右折レーンモードに移行してからの経過時間(右折レーンモード時間)Ｔ１のカウントアップを開始する。そして、ステップＳ２２にて、この右折レーンモード時間Ｔ１が予め設定された所定時間Ｔ１Sを越えたかどうかを判定し、右折レーンモード時間Ｔ１がこの所定時間Ｔ１Sを越えていなければ、ここまでの処理を繰り返し行う。そして、右折レーンモード時間Ｔ１が所定時間Ｔ１Sを越えたら、ステップＳ２３にて、右折レーンモードフラグＦ２＝０とし、ステップＳ２４にて、右折レーンモード時間Ｔ１をリセットする。
【００３８】
ここで、右折レーンモード時間Ｔ１における所定時間Ｔ１Sとは、右折走路１０２の傾斜白線２０３を検出してから、車両１０がこの傾斜白線２０３を完全に通過するまでの時間である。一般に、車線が増加するために描いた傾斜した白線の距離は所定長さ（例えば、２０ｍ）に設定されており、現在の車速からこの距離を通過する時間を算出している。つまり、右折走路１０２の傾斜白線２０３を検出したときの車両１０の走路位置から、この車両１０が所定距離走行して傾斜白線２０３を通過する期間は、検出した白線の情報を採用しないようにしている。そして、この期間が経過し、車両１０傾斜白線２０３を通過したら、右折レーンモードを終了して通常レーンモードに戻る。
【００３９】
そして、ステップＳ２５にて、算出した道路曲率Ｒ、車両のピッチ角φ、ヨー角θ、走路幅Ｗ、オフセット量ｇからなる道路パラメータと、検出フラグＦ１の状態（Ｆ１＝０かＦ１＝１）を車両操舵制御装置１３に出力する。この車両操舵制御装置１３は、入力した道路パラメータのデータに対して、検出フラグＦ１＝０が同時に入力されると、この道路パラメータのデータを採用せず、前回に入力した道路パラメータのデータを採用して車両の操舵制御を実行し、検出フラグＦ１＝１が同時に入力されると、この道路パラメータのデータをそのまま採用して車両の操舵制御を実行する。
【００４０】
このように本実施例の境界線検出装置にあっては、カメラ１１からの入力画像における所定の検出期間の画像情報に基づいて路面上に描かれた白線候補線を検出し、この白線候補線に基づいて本線走路１０１の白線２０１，２０２を選定する一方、本線走路１０１から増加する右折走路１０２の傾斜白線２０３を選定し、この右折走路１０２の傾斜白線２０３が選定されたときには誤検出と判定して右折レーンモードを設定し、傾斜白線２０３として選定した白線のデータを所定期間にわたって採用せず、それ以前に選定した本線走路１０１の白線２０１，２０２を白線のデータとして採用している。
【００４１】
従って、検出した白線が傾斜白線２０３であるときは、右折誤検出と判定してこの検出データによる操舵制御（レーンキープ制御）を所定期間にわたってやめる一方、右折誤検出より以前に検出した本線走路１０１の白線２０１，２０２のデータによる操舵制御（レーンキープ制御）を継続することとなり、車両１０は、右折走路１０２に惑わされることなく本線走路１０１を維持して適性に走行することができる。そして、右折誤検出と判定してから所定期間が経過すると、車両１０はこの右折走路１０２の傾斜白線２０３を通過することから、この所定期間の経過後に白線検出を再開し、本線走路１０１の白線２０１，２０２を再び検出して操舵制御を実行することができ、車両１０を継続して適正に走行させることができる。
【００４２】
また、検出した白線が本線走路１０１の白線２０１，２０２であるか、右折走路１０２の傾斜白線２０３であるかの判定を、道路曲率Ｒまたはピッチ角φに基づいて判定しており、出力する道路パラメータを用いることで、別の検出機器を不要として装置や制御プログラムの簡素化を図ることができる。この場合、現在の道路曲率Ｒと平均値ＲAとの差が第１閾値ＲBより大きければ、現在の走路が右方または左方へ異常に大きくカーブしていると推測することから、右折走路１０２の傾斜白線２０３であると判定している。また、現在のピッチ角φと過去の平均値φAとの差が第１閾値φBより大きかったり、現在のピッチ角φと過去の平均値φAとの差が第２閾値φSより小さいと、車両が傾斜していないのにも拘らずピッチ角が小さく、且つ、現在の道路曲率Ｒと過去の平均値ＲAとの差が第２閾値ＲSより大きければ、現在の走路が右方にカーブしていると推測することから、右折走路１０２の傾斜白線２０３であると判定している。従って、右折による白線の誤検出を高精度に判定することができる。
【００４３】
更に、右折誤検出を判定してこの検出データによる操舵制御を停止する所定期間を、右折走路１０２の傾斜白線２０３を検出した車両１０の走路位置から、この車両１０が所定距離走行して傾斜白線２０３を通過するまで期間としている。従って、右折走路１０２の傾斜白線２０３を検出してから所定期間が経過すると、車両１０はこの傾斜白線２０３を通過して本線走路１０１の白線２０１，２０２を適正に検出することができる。
【００４４】
なお、上述した実施例では、右折を誤検出してから検出した白線のデータを採用しない期間を、右折走路１０２の傾斜白線２０３を検出してからこの傾斜白線２０３を通過するまでの時間としたが、傾斜白線２０３を検出してからこの傾斜白線２０３を通過するまで走行距離としても良く、この場合、車両１０に搭載されている距離計を用いて計測すればよい。また、この期間を予め設定された所定時間や所定距離に限らず、右折走路１０２の前方にある交差点を検出するまでの期間としても良い。一般的に、交差点には横断歩道、停止線、信号機、歩道橋などが設けられており、カメラを用いてこれらを検出して右折レーンモードを解除するようにしても良い。
【００４５】
また、上述の実施例では、右折車線境界位置選定手段を右折レーンモード判定部２６とし、算出した道路曲率Ｒまたは車両のピッチ角φに基づいて選定した２つの白線が右折走路１０２の傾斜白線２０３であると判定するように構成したが、道路曲率Ｒ及び車両のピッチ角φが各所定値より大きいときに右折走路１０２の傾斜白線２０３であると判定してもよく、また、この道路曲率Ｒやピッチ角φに相当する値に基づいて判定しても良い。更に、右折走路１０２の判定は、この方法に限定されるものではなく、例えば、右折走路１０２では、傾斜白線２０３が本線走路１０１の白線２０２から所定角度で屈曲した形状をなしているため、この形状を予め記憶しておき、検出した白線とこの傾斜白線２０３とを比較することで、右折走路１０２の傾斜白線２０３であると判定するようにしても良い。また、右折走路１０２特有の形状を記憶する場合、右折走路１０２における傾斜白線２０３に連続する右折白線２０４の形状などを記憶するようにしても良い。
【００４６】
また、白線検出装置１２は、検出した白線に基づいて道路パラメータを算出し、この道路パラメータと共に検出フラグＦ１を出力することで、車両操舵制御装置１３は、検出フラグＦ１＝０が入力されると、同時に入力した道路パラメータを採用せずに前回に入力した道路パラメータを採用する一方、検出フラグＦ１＝１が入力されると、同時に入力した道路パラメータを採用するように構成したが、この処理方法に限定されるものではない。例えば、検出した白線が右折走路１０２の白線２０３，２０４であると判定されたとき、道路パラメータを算出しなかったり、算出した道路パラメータを出力せずに、前回算出した本線道路１０１の白線２０１，２０２に基づいて算出した道路パラメータを出力するようにしても良い。
【００４７】
更に、上述の実施例では、本線走路１０１から右に増加する右折走路１０２があるバイパス道路において、白線を検出する手法について説明したが、本線走路１０１から左に増加する左折走路がある道路でも、本発明の白線検出装置を適用することができ、また、高速道路に限定されるものでもない。
【産業上の利用可能性】
【００４８】
以上のように、本発明にかかる境界線検出装置は、増加走路の車線境界位置を検出したらこの検出データの採用を所定期間停止するようにしたものであり、走路の形態に拘らず、いずれの境界線検出装置に有用である。
【図面の簡単な説明】
【００４９】
【図１】本発明の一実施例に係る境界線検出装置が適用された車両制御装置のブロック構成図である。
【図２】本実施例の境界線検出装置のブロック構成図である。
【図３】カメラが撮像した画像の概略図である。
【図４】本実施例の境界線検出装置が出力する道路パラメータを説明するための概略図である。
【図５】本線走路及び右折走路を表す道路の平面図である。
【図６−１】画像処理後の本線走路の概略図である。
【図６−２】画像処理後の本線走路における増加部の概略図である。
【図７】本実施例の境界線検出装置による境界線検出制御のフローチャートである。
【図８】右折レーンモード判定処理を表すフローチャートである。
【符号の説明】
【００５０】
１１  カメラ
１２  白線検出装置（境界線検出装置）
１３  車両操舵制御装置
１４  メインスイッチ
１５  車速センサ
１６  パワーステアリング装置
１７  表示装置
２１  エッジ点抽出部（候補線検出手段）
２２  エッジ線抽出部（候補線検出手段）
２３  白線抽出部（候補線検出手段）
２４  白線選択部（車線境界位置選定手段）
２５  道路パラメータ演算部
２６  右折レーンモード判定部（増加車線境界位置選定手段、増加処理手段）
２７  道路パラメータ出力部
１０１  本線走路
１０２  右折走路
２０１，２０２  本線白線（境界線位置）
２０３  傾斜白線（境界線位置）
２０４  右折白線（境界線位置）
【図１】
2005346382.tif 000003
【図２】
2005346382.tif 000004
【図３】
2005346382.tif 000005
【図４】
2005346382.tif 000006
【図５】
2005346382.tif 000007
【図６−１】
2005346382.tif 000008
【図６−２】
2005346382.tif 000009
【図７】
2005346382.tif 000010
【図８】
2005346382.tif 000011